(57)【特許請求の範囲】
【請求項１】
壁体（１）の表面凹所（２）に埋め込んだ収納ユニット（３）に電気機器（４）（４）を収納してなる収納構造であって、
前記収納ユニット（３）は、前面開放箱形のユニット本体（３０）と、このユニット本体（３０）内に着脱可能に設けた電気機器搭載用パネル（３１）とからなり、
前記ユニット本体（３０）は、前端面が前記壁体（１）の表面と略面一に設けられる左右の側面板（３２）（３２）と、これら側面板（３２）（３２）の後端部間に差し渡した背面板（３３）と、前記側面板（３２）（３２）の上端部間に差し渡され、前端面が前記壁体（１）の表面と略面一に設けられる上面板（３４）と、前記側面板（３２）（３２）の下端部間に差し渡したカウンター（３５）とを備え、前記搭載用パネル（３１）を、前記背面板（３３）の前方を覆うように配置して、前記搭載用パネル（３１）と前記背面板（３３）との間に配線用空間（４０）を確保するとともに、前記壁体（１）の表面に貼り付けた壁紙（１３）を、前記側面板（３２）（３２）及び前記上面板（３４）に沿わせるようにして、前記ユニット本体（３０）内における前記搭載用パネル（３１）の付近まで回り込ませ、
前記側面板（３２）（３２）及び前記上面板（３４）には、前記ユニット本体（３０）内に回り込ませた壁紙（１３）の端部を突き合せるエッジ材（５０）（５０）（５１）が設けられ、
前記搭載用パネル（３１）は、前記上面板（３４）の下向き溝（３７）と前記カウンター（３５）の上向き溝（３８）との間に跨ってけんどん式に嵌め込まれることによって、前記ユニット本体（３０）内に装着されることを特徴とする壁体における電気機器収納構造。
【請求項２】
前記ユニット本体（３０）に、前記搭載用パネル（３１）をその後方から前方へ向って押圧することで、前記搭載用パネル（３１）のガタツキを防止するガタツキ防止手段（３９）（３９）を設けた請求項１記載の壁体における電気機器収納構造。
【請求項３】
前記上面板（３４）と前記背面板（３３）との間の隙間を、前記壁体（１）の内部空間（１４）と前記配線用空間（４０）とを連通する配線挿通用開口（３６）とした請求項１又は２記載の壁体における電気機器収納構造。
【発明の詳細な説明】
【技術分野】
【０００１】
この発明は、例えば住宅屋内の内壁、間仕切り壁、袖壁、腰壁等の壁体における電気機器収納構造に関する。
【背景技術】
【０００２】
従来より、住宅屋内の壁体の表面凹所に収納ユニットを埋め込んで、この収納ユニットに各種の電気機器を収納して、電気機器が壁体の表面から出っ張ることがないようにした電気機器収納構造が知られている（例えば、特許文献１、２参照）。
【先行技術文献】
【特許文献】
【０００３】
【特許文献１】特開平８−１３９４６２号公報
【特許文献２】特開平９−２３２７６７号公報
【発明の概要】
【発明が解決しようとする課題】
【０００４】
上述した電気機器収納構造では、収納ユニットにおいて、その前面開放箱形のユニット本体の前面開口部に開閉扉が設けられていて、ユニット本体及び収納した電気機器を覆い隠すようになっているが、照明機器制御用パネルや空調機器制御用パネル、インターホン等のような操作頻度の高い電気機器やモニターを備えた電気機器を収納する際には、使用性に配慮して開閉扉を廃止することが多い。この場合、壁体の表面側においてユニット本体が露出することになり、その枠状の前面開口縁や内壁面が目立ってしまって、壁体との一体感に欠け、しかも壁体に脆弱感を与え易くなって、全体的に見栄えが悪いといった不具合があった。
【０００５】
また、例えば特許文献１に記載の電気機器収納構造のように、ユニット本体内に着脱可能に設けたパネルに電気機器を搭載することで、パネルを着脱するだけで電気機器の取り付け、取り外しを簡単に行うことができるが、従来においては、このような電気機器搭載用のパネルの装着に際して、パネルをユニット本体にボルト止め又はビス止めしていることから、ボルト頭やビス頭が露出して見栄えを損ない、しかもパネルの着脱作業も煩雑であった。
【０００６】
そこで、この発明は、上記の不具合を解消して、意匠性が高く、また電気機器のメンテナンス性に優れた壁体における電気機器収納構造の提供を目的とする。
【課題を解決するための手段】
【０００７】
この発明の壁体における電気機器収納構造は、壁体１の表面凹所２に埋め込んだ収納ユニット３に電気機器４、４を収納したものであって、前記収納ユニット３は、前面開放箱形のユニット本体３０と、このユニット本体３０内に着脱可能に設けた電気機器搭載用パネル３１とからなり、前記ユニット本体３０は、左右の側面板３２、３２と、これら側面板３２、３２の後端部間に差し渡した背面板３３と、前記側面板３２、３２の上端部間に差し渡した上面板３４と、前記側面板３２、３２の下端部間に差し渡したカウンター３５とを備え、前記搭載用パネル３１を、前記背面板３３の前方を覆うように配置して、前記搭載用パネル３１と前記背面板３３との間に配線用空間４０を確保するとともに、前記壁体１の表面に貼り付けた壁紙１３を、前記側面板３２、３２及び前記上面板３４に沿わせるようにして、前記ユニット本体３０内における前記搭載用パネル３１の付近まで回り込ませたことを特徴とする。
【０００８】
そして、前記側面板３２、３２及び前記上面板３４に、前記ユニット本体３０内に回り込ませた壁紙１３の端部を突き合せるエッジ材５０、５０、５１を設けている。
【０００９】
また、前記搭載用パネル３１を、前記上面板３４の下向き溝３７と前記カウンター３５の上向き溝３８との間に跨って嵌め込むことによって、前記ユニット本体３０内に装着している。
【００１０】
さらに、前記ユニット本体３０に、前記搭載用パネル３１をその後方から前方へ向って押圧することで、前記搭載用パネル３１のガタツキを防止するガタツキ防止手段３９、３９を設けている。
【００１１】
さらにまた、前記上面板３４と前記背面板３３との間の隙間を、前記壁体１の内部空間１４と前記配線用空間４０とを連通する配線挿通用開口３６としている。
【発明の効果】
【００１２】
この発明の電気機器収納構造においては、壁体の表面凹所に埋め込んだ収納ユニットに電気機器を収納しているので、電気機器を壁体の表面から出っ張ることがないように収納することができ、また搭載用パネルによって覆い隠された配線用空間に、電気機器に接続した配線を外部から見えないように収容することができる。
【００１３】
しかも、壁体の表面に貼り付けた壁紙を、収納ユニットのユニット本体の側面板及び上面板を覆い隠すようにして、ユニット本体内における搭載用パネルの付近まで回り込ませているので、壁体と収納ユニットの一体感を高めながら、壁体の厚み感を強調することができる。さらに、あえて露出させたカウンターがアクセントとなって、意匠性をより一層高めることができる。
【００１４】
これらのことから、収納ユニットのユニット本体の前面開口部に開閉扉を設けていないにもかかわらず、見栄えが良好で意匠性の高い電気機器収納構造とすることができる。
【００１５】
また、ユニット本体内に回り込ませた壁紙の端部を、エッジ材に突き合せているので、見栄えを良好に維持しながら、搭載用パネルの着脱に際して、壁紙が剥がれたり、捲れ上がるのを防止することができる。
【００１６】
さらに、搭載用パネルは、ユニット本体における上面板の下向き溝とカウンターの上向き溝との間に跨って嵌め込まれて、ボルト止めやビス止めすることなく、ユニット本体内に装着されているので、搭載用パネルの着脱作業を容易にして、電気機器のメンテナンスを簡単に行うことができ、しかもボルト頭やビス頭が露出して見栄えを損なうといったことがなく、見栄えをより一層良好にすることができる。
【００１７】
さらにまた、ユニット本体に設けたガタツキ防止手段によって、搭載用パネルを安定して装着することができ、しかもガタツキ防止手段は、搭載用パネルをその後方から前方へ向って押圧するようになっていて、外部からは搭載用パネルによって覆い隠されて見えないことから、見栄えを悪くすることもない。
【００１８】
また、ユニット本体において、上面板と背面板との間の隙間を配線挿通用開口として、壁体の内部空間と配線用空間とを連通させているので、例えば上面板に穴加工やスリット加工等のような面倒な加工を施すことなく、壁体の内部空間において引き回しされている配線を配線用空間に引き込んで、電気機器に接続することができる。
【図面の簡単な説明】
【００１９】
【図１】この発明の一実施形態に係る電気機器収納構造の適用例を示す斜視図である。
【図２】同じくその正面図である。
【図３】同じくその横断面図である。
【図４】同じくその縦断面図である。
【図５】収納ユニットの分解斜視図である。
【図６】収納ユニットの斜視図である。
【図７】壁体の表面凹所へのユニット本体の嵌め込みを説明するための斜視図である。
【図８】ユニット本体内への壁紙の巻き込みを説明するための斜視図である。
【図９】ユニット本体内への搭載用パネルの装着を説明するための斜視図である。
【発明を実施するための形態】
【００２０】
以下、この発明の実施形態を図面に基づいて詳細に説明する。この発明の一実施形態に係る電気機器収納構造おいては、図１及び図２に示すように、住宅屋内における例えばキッチン横の袖壁等の壁体１の表面凹所２に、収納ユニット３を埋め込んで、この収納ユニット３に例えばセキュリティ機器制御用パネルやインターホン等の電気機器４、４を、壁体１の表面から出っ張ることがないように収納している。
【００２１】
壁体１は、図３及び図４に示すように、ランナー（図示しない）やスタッド１０を枠状に組み付けてなる芯材１１の前後面に、表面パネル材１２、１２を張り付けてなる。表面パネル材１２、１２は、例えば石膏ボード等からなり、その表面全体には壁紙（クロス）１３、１３が夫々貼り付けられている。
【００２２】
この壁体１の表面凹所２は、壁体１の内部に前面開放の箱体２０を仕込むとともに、一方（前面側）の表面パネル材１２に方形状の開口を形成して、箱体２０の前面開口部を開放させることによって構成されている。箱体２０は、左右一対の側板２１、２１と、これら側板２１、２１の後端部間に差し渡した背板２２と、側板２１、２１の上端部間に差し渡した上板２３と、側板２１、２１の下端部間に差し渡した下板２４とを備えている。一方の側板２１は、スタッド１０によって裏支えされ、背板２２は他方（後面側）の表面パネル材１２によって裏支えされ、上板２３は、表面パネル材１２、１２に挟まれた状態で横方向に延びる上側の下地材２５によって裏支えされ、下板２４は、表面パネル材１２、１２に挟まれた状態で横方向に延びる下側の下地材２６によって裏支えされており、これによって表面凹所２の剛性が高められている。なお、箱体２０の前面開口縁は、外部に露出しないように、一方（前面側）の表面パネル材１２の開口端部によって覆い隠されている。また、上板２３及び下地材２５を上下に貫通するようにして、配線挿通用の貫通穴２７が形成されている。
【００２３】
収納ユニット３は、図３乃至図６に示すように、前面開放箱形のユニット本体３０と、このユニット本体３０内に着脱可能に設けられた電気機器搭載用パネル３１とからなり、電気機器４、４の使用性に配慮して、ユニット本体３０の前面開口部には開閉扉は設けられていない。
【００２４】
ユニット本体３０は、例えば合板等からなる左右一対の側面板３２、３２と、これら側面板３２、３２の後端部間に差し渡した例えば合板等からなる背面板３３と、側面板３２、３２の上端部間に差し渡した例えば合板等からなる上面板３４と、側面板３２、３２の下端部間に差し渡した例えばメラミン化粧板等からなるカウンター３５とを備えている。
【００２５】
このユニット本体３０においては、上面板３４の後端部が背面板３３の上端部から離間して配され、これによって上面板３４と背面板３３との間に隙間３６が確保され、この隙間３６が配線挿通用開口とされている。なお、この配線挿通用開口３６は、上記の配線挿通用の貫通穴２７と連通している。
【００２６】
また、上面板３４の下面後端部には、搭載用パネル３１の上端部を嵌め込むための下向き溝３７が側面板３２、３２間に跨るようにして横方向に形成され、カウンター３５の上面における下向き溝３７の直下には、搭載用パネル３１の下端部を嵌め込むための上向き溝３８が側面板３２、３２間に跨るようにして横方向に形成されている。なお、下向き溝３７の溝深さは、上向き溝３８の溝深さよりも深くなっている。
【００２７】
さらに、このユニット本体３０には、搭載用パネル３１のガタツキを防止するガタツキ防止手段としての左右一対のパネル受け材３９、３９が設けられている。これらパネル受け材３９、３９は、側面板３２、３２の後端部と背面板３３の両端部との間の左右のコーナー部分に沿って縦方向に夫々設けられ、その前端面にはパッキン３９ａ、３９ａが取り付けられている。
【００２８】
そして、このユニット本体３０は、側面板３２、３２及び上面板３４の前端面が壁体１の表面と略面一となり、カウンター３５の前端部が壁体１の表面よりも外側に若干張り出すようにして、壁面１の表面凹所２に内嵌されている。
【００２９】
搭載用パネル３１は、例えば表面塗装が施された合板等からなり、電気機器４、４に応じた図示しない機器取付用の貫通孔が形成されていて、この貫通孔を利用して電気機器４、４が搭載されている。この搭載用パネル３１は、上面板３４の下向き溝３７とカウンター３５の上向き溝３８との間に跨ってけんどん式に嵌め込まれて、ボルト止めやビス止めすることなく、ユニット本体３０内に装着されている。このようにして、搭載用パネル３１をユニット本体３０内に装着することで、搭載用パネル３１の着脱作業を容易にして、電気機器４、４の修理や交換、リフォームに伴う増設等のメンテナンスを簡単に行うことができ、しかもボルト頭やビス頭が露出して見栄えを損なうこともない。
【００３０】
また、搭載用パネル３１は、背面板３３の前方を覆うように、背面板３３に対して対向配置されており、これによって搭載用パネル３１と背面板３３との間に配線用空間４０が確保されている。この配線用空間４０は、配線挿通用開口３６及び配線挿通用の貫通穴２７を介して壁体１の内部空間１４と連通している。従って、搭載用パネル３１に搭載した電気機器４、４には、壁体１の内部空間１４において引き回しされて、配線挿通用の貫通穴２７及び配線挿通用開口３６を介して配線用空間４０に引き込まれた配線４１・・が接続されている。なお、配線用空間４０は、搭載用パネル３１によって覆い隠されているので、配線４１・・が外部から見えることはない。
【００３１】
さらに、搭載用パネル３１の後面両端部には、パネル受け材３９、３９のパッキン３９ａ、３９ａが押し付けられ、これによって搭載用パネル３１がその後方から前方へ向って押圧されて、搭載用パネル３１のガタツキが防止されている。
【００３２】
そして、上記の電気機器収納構造では、壁体１における一方（前面側）の表面パネル材１２に貼り付けた壁紙（クロス）１３を、収納ユニット３のユニット本体３０内に巻き込むにようにしている。
【００３３】
すなわち、表面パネル材１２の壁紙（クロス）１３を、ユニット本体３０における側面板３２、３２及び上面板３４に沿わせるようにして、搭載用パネル３１の手前付近まで回り込ませて、その回り込ませた部分を側面板３２、３２の側面及び上面板３４の下面に貼り付けている。なお、壁体１の表面より外側へ張り出したカウンター３５に対しては、壁紙（クロス）１３を回り込ませないようにして、カウンター３５をあえて露出させるようにしている。
【００３４】
そして、側面板３２、３２には、例えば薄肉帯板状の合成樹脂板からなる第１のエッジ材５０、５０が夫々取り付けられており、これらエッジ材５０、５０の前端面に、側面板３２、３２の側面に貼り付けた壁紙（クロス）１３の端部を突き合せるようにしている。さらに、上面板３４には、例えば薄肉帯板状の合成樹脂板からなる第２のエッジ５１が取り付けられており、このエッジ材５１の前端面に、上面板３４の下面に貼り付けた壁紙（クロス）１３の端部を突き合せるようにしている。
【００３５】
なお、第１のエッジ５０、５０は、パネル受け材３９、３９の前側においてパネル受け材３９、３９に沿って縦方向に配され、搭載用パネル３１の両側端面が当接されている。また、第２のエッジ材５１は、第１のエッジ材５０、５０よりも幅狭に形成されていて、下向き溝３７の前側において下向き溝３７に沿って横方向に配され、搭載用パネル３１の上端部前面が当接されている。
【００３６】
このようにして、壁体１の表面パネル材１２に貼り付けた壁紙（クロス）１３を、カウンター３５部分を除いてユニット本体３０内に巻き込んで、ユニット本体３０の側面板３２、３２及び上面板３４を覆い隠すことで、壁体１と収納ユニット３との一体感を高めて、収納ユニット３を壁体１に同化させながら、同時に壁体１の厚み感も演出することができ、意匠性の向上を図ることができる。しかも、あえて露出させたカウンター３５がアクセントとなって、意匠性をより一層高めることができる。さらに、壁紙（クロス）１３の端部をエッジ材５０、５０、５１の前端面に突き合せているので、見栄えを良好に維持しながら、搭載用パネル３１の着脱に際して、壁紙（クロス）１３が剥がれたり、捲れ上がるのを防止することができる。
【００３７】
次に、上記の電気機器収納構造の施工方法について説明すると、まず図７に示すように、壁面１の表面凹所２に、収納ユニット３のユニット本体３０を嵌め込む。この場合、予め壁体１の内部空間１４において引き回しされている配線４１・・を、配線挿通用の貫通穴２７を通して表面凹所２に引き込んでおいて、ユニット本体３０の嵌め込み時に、配線挿通用開口３６を通してユニット本体３０に引き込むようにしている。
【００３８】
続いて、図８に示すように、壁体１における一方（前面側）の表面パネル材１２に貼り付けた壁紙（クロス）１３を、カウンター３５部分を除いてユニット本体３０内に巻き込んで、その端部をエッジ材５０、５０、５１の前端面に突き合せながら、側面板３２、３２の側面及び上面板３４の下面に貼り付ける。
【００３９】
最後に、図９に示すように、搭載用パネル３１に搭載した電気機器４、４に、ユニット本体３０に導き出した配線４１・・を接続した状態で、搭載用パネル３１をユニット本体３０の前面開口部から挿入して、上面板３４の下向き溝３７とカウンター３５の上向き溝３８との間に跨るように嵌め込むことで、搭載用パネル３１をユニット本体３０内に装着する。この嵌め込みに際しては、搭載用パネル３１を上方へ持ち上げながら、搭載用パネル３１の上端部を上面板３４の下向き溝３７に嵌め込んだ後、搭載用パネル３１の下端部をカウンター３５の上向き溝３８に落とし込むようにしている。
【００４０】
なお、電気機器４、４の修理や交換、リフォームに伴う増設等のメンテナンスに際しては、ユニット本体３０内に装着してある搭載用パネル３１を上方へ持ち上げて、搭載用パネル３１の下端部をカウンター３５の上向き溝３８から抜き出した後、搭載用パネル３１を斜め下方へ引きながら、搭載用パネル３１の上端部を上面板３４の下向き溝３７から抜き出すことで、搭載用パネル３１をユニット本体３０から取り外せば良い。
【００４１】
この発明は、上記実施形態に限定されるものではなく、この発明の範囲内で上記実施形態に多くの修正及び変更を加え得ることは勿論である。例えば、上記実施形態においては、搭載用パネルにセキュリティ機器制御用パネルやインターホンを搭載していたが、照明機器制御用パネルや空調機器制御用パネル等のその他電気機器を搭載しても良く、また電気機器として電気コンセントを搭載して、収納ユニットを携帯電話等の充電場所として利用しても良い。
【符号の説明】
【００４２】
１・・壁体、２・・表面凹所、３・・収納ユニット、４・・電気機器、１３・・壁紙、１４・・内部空間、３０・・ユニット本体、３１・・電気機器搭載用パネル、３２・・側面板、３３・・背面板、３４・・上面板、３５・・カウンター、３６・・配線挿通用開口、３７・・下向き溝、３８・・上向き溝、３９・・ガタツキ防止手段、４０・・配線用空間、５０、５１・・エッジ材
【図１】
0005595741.tif 000002
【図２】
0005595741.tif 000003
【図３】
0005595741.tif 000004
【図４】
0005595741.tif 000005
【図５】
0005595741.tif 000006
【図６】
0005595741.tif 000007
【図７】
0005595741.tif 000008
【図８】
0005595741.tif 000009
【図９】
0005595741.tif 000010